(57)【要約】【課題】使い捨てのダンボール箱などを使用することなく、何度でも繰り返してリールの梱包、搬送に使用できる。【解決手段】収納台車本体３の下面に車輪１を設ける。この収納台車本体３に内部が収納用空所２を設ける。収納用空所２内に上下多段に複数のリール収納棚４を配設する。収納台車本体３の一側面を引き出し用開口部５としてリール収納棚４を引き出し用開口部５から引き出し自在に構成する。各リール収納棚４の上面からそれぞれ上方に向けて支持棒６を突設する。長尺の帯材７又は線材を巻装したリール８の中央孔９を支持棒６に抜き差し自在に嵌め込んだ状態でリール８をリール収納棚４に載置する。【選択図】        図１
2004217094.tif 000002
【特許請求の範囲】
【請求項１】
下面に車輪を有し且つ内部が収納用空所となった収納台車本体内に上下多段に複数のリール収納棚を配設すると共に収納台車本体の一側面を引き出し用開口部としてリール収納棚を引き出し用開口部から引き出し自在に構成し、各リール収納棚の上面からそれぞれ上方に向けて支持棒を突設し、長尺の帯材又は線材を巻装したリールの中央孔を支持棒に抜き差し自在に嵌め込んだ状態でリールをリール収納棚に載置して成ることを特徴とするリール収納・搬送台車。
【請求項２】
収納台車本体を帯電防止用シートで覆うと共に引き出し用開口部を覆う帯電防止用シートを開閉自在とし、少なくとも上記引き出し用開口部を覆う帯電防止用シートを外部から収納用空所内を透視できる透明又は半透明として成ることを特徴とする請求項１記載のリール収納・搬送台車。
【請求項３】
支持棒がリール収納棚に対して着脱自在であることを特徴とする請求項１又は請求項２記載のリール収納・搬送台車。
【請求項４】
収納台車本体の引き出し用開口部の開口側縁部に先端部にロック用縦棒を取付けた横アームをヒンジにより回動自在に枢支し、ロック用縦棒を横アームに対して上下移動自在とするか又は横アームをヒンジに対して上下移動自在とし、収納台車本体の引き出し用開口部の開口下端縁部にロック用縦棒の下端部が抜き差し自在となった支持孔部を設け、ロック用縦棒の下端部を支持孔部に差し込んだ状態でロック用縦棒を上下複数のリール収納棚の各前端に近接対向させ、ロック用縦棒の下端部を支持孔部から抜き取ってヒンジを中心に回動することでロック用縦棒がリール収納棚を引き出し用開口部から引き出す際に当たらない位置まで移動できるように設定してあることを特徴とする請求項１乃至請求項３のいずれかに記載のリール収納・搬送台車。
【発明の詳細な説明】
【０００１】
【発明の属する技術分野】
本発明は、金属フープ材、合成樹脂テープ、合成樹脂被覆金属テープ、金属線材、合成樹脂線材等の金属、合成樹脂製の帯材又は線材を巻装したリールを収納、搬送するためのリール収納・搬送台車に関するものである。
【０００２】
【従来の技術】
従来から金属フープ材、合成樹脂テープ、合成樹脂被覆金属テープ、金属線材、合成樹脂線材等の金属、合成樹脂製の帯材又は線材を巻装したリールは、巻装した帯材又は線材をプレス、メッキ、塗装等の任意の加工を行う次工程に送るに当たり、従来においては、ダンボール箱に帯材又は線材を巻装したリールを入れ、更に、ダンボール箱内においてリールが動かないように四隅にダンボール製又は発泡合成樹脂製のコーナパッドを入れ、その後、ダンボール箱の蓋片を閉じて粘着テープにより蓋片が開かないようにし、このようにしてリールを梱包したダンボール箱を多段に重ねて次工程を行う場所に搬送したり、あるいは保管したりするようにしているのが一般的である。
【０００３】
ところが、上記従来から行われているリールの梱包は、次工程を行う場所でリールを取り出した後は、使用後のダンボール箱、コーナパッド、粘着テープ等が大量に発生し、現状ではこれをごみとして焼却等して処分しており、資源保護や環境の面から好ましいものではなかった。
【０００４】
しかも、帯材又は線材を巻装したリールをダンボール箱に入れて梱包し、これを重ねて保管したり、搬送したりする際、ダンボール箱に外力が直接加わる場合があり、このようにダンボール箱に直接外力が加わるとダンボール箱が簡単に変形したり、凹んだりして中のリールに巻装した帯材や線材が破損する恐れがある。
【０００５】
また、ダンボール箱により帯材又は線材を巻装したリールを梱包するものにおいては、ダンボール箱内に帯材又は線材を巻装したリールを入れる作業、四隅にダンボール製あるいは発泡合成樹脂製のコーナパッドを入れる作業、ダンボール箱の蓋片を閉じて粘着テープにより蓋片が開かないようにする作業が必要で、作業が煩雑で、しかも、搬送に当たっても、台車やパレットに上記ダンボール箱を多段に積みむ作業を行って搬送する必要があり、この点でも作業が煩雑である。
【０００６】
また、電子部品が仮固定された可撓性帯材を巻装したリールを梱包するに当たって、周囲の酸素又は水分を吸収する発熱剤を備えた可撓性の袋又は剛性の箱状の容器内に帯材を巻装したリール入れて帯材が吸湿しないように密封して梱包するものも従来から知られている（例えば、特許文献１参照）。
【０００７】
この特許文献１に示された従来例においても、一度梱包に使用した袋、容器はそのまま搬送先でごみとして処分されるものであり、この従来例においても資源保護や環境の面から好ましいものではなかった。また、この従来例にあっては、電子部品が仮固定された可撓性帯材を巻装したリールが袋又は容器内で動くので、搬送時の振動や取り扱いにより電子部品が仮固定された可撓性帯材が損傷するおそれがある。これを防止するには袋又は容器内で動かないようにするにはパッドを詰める必要があり、このパッドもごみとなってしまう。また、この従来例においても、リールを梱包した袋や容器は複数ダンボール箱に詰めたりして搬送したり、保管するものであり、この従来例においても実質的にはダンボール箱が廃材として発生してしまう。また、袋や容器にリールを出し入れする作業が面倒で、しかも、搬送するに当たっても、台車やパレットに積み込む必要があり、この点でも作業が煩雑となるものである。
【０００８】
【特許文献１】
特開２００２−２４０８６３号公報
【０００９】
【発明が解決しようとする課題】
本発明は上記の点に鑑みてなされたものであり、従来のように使い捨てのダンボール箱などを使用することなく、何度でも繰り返してリールの梱包、搬送に使用できて、資源保護及び環境面で優れており、しかも、リールの梱包、搬送が容易に行えると共にリールに巻装した帯材や線材に破損しないようにでき、更に、帯電を防止するようにしながら内部の帯材や線材を巻装したリールを外部から視認でき、また、リール収納棚からリールの取り出しが容易に行え、更に、簡単な構成でロック用縦棒により上下多段のリール収納棚が引き出し用開口部から引き出せないようにできるリール収納・搬送台車を提供することを課題とするものである。
【００１０】
【課題を解決するための手段】
上記課題を解決するために本発明に係るリール収納・搬送台車は、下面に車輪１を有し且つ内部が収納用空所２となった収納台車本体３内に上下多段に複数のリール収納棚４を配設すると共に収納台車本体３の一側面を引き出し用開口部５としてリール収納棚４を引き出し用開口部５から引き出し自在に構成し、各リール収納棚４の上面からそれぞれ上方に向けて支持棒６を突設し、長尺の帯材７又は線材を巻装したリール８の中央孔９を支持棒６に抜き差し自在に嵌め込んだ状態でリール８をリール収納棚４に載置して成ることを特徴とするものである。
【００１１】
このような構成とすることで、リール収納棚４を引き出し用開口部５から引き出して長尺の帯材７又は線材を巻装したリール８の中央孔９をリール収納棚４に突設した支持棒６に嵌め込んだ状態でリール収納棚４を収納用空所２内に押し込んで収納し、これにより収納台車本体３の収納用空所２内に上下多段に配置したリール収納棚４にリール８を容易に収納でき、しかも、車輪１付きの収納台車本体３であるから、上下多段のリール収納棚４にリール８を収納した状態で保管場所や次工程の場所に搬送できるものであり、保管、搬送中に収納台車本体３内部に配置したリール収納棚４に突設した支持棒６にリール８の中央孔９を嵌め込むので、リール８に本来備わっている中央孔９を有効利用してリール８が移動しないように収納でき、また、収納台車本体３、リール収納棚４によりリール８を保護できてリール８に巻装した帯材７又は線材が破損しないようできることになる。また、倉庫等に保管する際には収納台車本体３がそのままリール８を収納するための多段の保管棚となり、更に、リール８を収納して搬送に使用する時は繰り返し何度でも使用できるものである。
【００１２】
また、収納台車本体３を帯電防止用シート２５で覆うと共に引き出し用開口部を覆う帯電防止用シート２５を開閉自在とし、少なくとも上記引き出し用開口部５を覆う帯電防止用シート２５を外部から収納用空所２内を透視できる透明又は半透明とすることが好ましい。
【００１３】
このように収納台車本体３を帯電防止用シート２５で覆うことで、帯電防止効果があり、また、少なくとも引き出し用開口部５を覆う帯電防止用シート２５を透明又は半透明としてこの帯電防止用シート２５を介して外部から内部を透視できて、収納用空所２内におけるリール８の収納状態を容易に確認できるものである。
【００１４】
また、支持棒６がリール収納棚４に対して着脱自在であることが好ましい。
【００１５】
このような構成とすることで、リール収納棚４にリール８を載置して収納している状態でリール８を取り出す際、リール収納棚４を引き出し用開口部５から引き出し、支持棒６を取り外すことでリール８を容易にリール収納棚４から取り外すことができるものであり、特に、リール収納棚４にリール８を載置して収納するに当たり、支持棒６に複数のリール８をその中央孔９を嵌め込んで多段に積み重ねた場合においては、支持棒６を取り外すことで、多段に積み重ねた複数のリール８を一度に取り外すことも可能となる。
【００１６】
また、収納台車本体３の引き出し用開口部５の開口側縁部に先端部にロック用縦棒１０を取付けた横アーム１１をヒンジ１２により回動自在に枢支し、ロック用縦棒１０を横アーム１１に対して上下移動自在とするか又は横アーム１１をヒンジ１２に対して上下移動自在とし、収納台車本体３の引き出し用開口部５の開口下端縁部にロック用縦棒１０の下端部が抜き差し自在となった支持孔部１３を設け、ロック用縦棒１０の下端部を支持孔部１３に差し込んだ状態でロック用縦棒１０を上下複数のリール収納棚４の各前端に近接対向させ、ロック用縦棒１０の下端部を支持孔部１３から抜き取ってヒンジ１２を中心に回動することでロック用縦棒１０がリール収納棚４を引き出し用開口部５から引き出す際に当たらない位置まで移動できるように設定してあることが好ましい。
【００１７】
このような構成とすることで、ロック用縦棒１０を横アーム１１を介してヒンジ１２部分を中心に回動し、ロック用縦棒１０を上下させて支持孔部１３に差し込むことで、共通のロック用縦棒１０により複数段のリール収納棚４が引き出し用開口部５から飛び出さないように収納状態をロックできるものであり、複数段のリール収納棚４の収納状態のロック操作が同時に行え、また、共通のロック用縦棒１０を上下させてロック用縦棒１０の下端部を支持孔部１３から抜き取ってヒンジ１２を中心に回動することで、複数段のリール収納棚４のロック解除が一操作で同時に行えるものである。
【００１８】
【発明の実施の形態】
以下、本発明を添付図面に示す実施形態に基づいて説明する。
【００１９】
図１乃至図４には本発明のリール収納・搬送台車Ａが示してある。リール収納・搬送台車Ａは、下面に車輪１を有した収納台車本体３と、収納台車本体３内の収納用空所２内に上下多段に配設した複数のリール収納棚４とで構成してある。
【００２０】
収納台車本体３は底板又は底枠１４の四隅から支柱１５を立設し、支柱１５の上端部間を上枠材１６で一体に連結して全体を略直方体形状をした枠状にに枠組み形成してある。そして、この略直方体形状をした枠状にに枠組みした内部が収納用空所２となっている。
【００２１】
上記のように枠組み構成された収納台車本体３の四側面のうち一側面が引き出し用開口部５となっている。上記引出し用開口部５の両隣の二側面、つまり、引出し用開口部５を設けた側面を前側面とした場合、前側面の両隣の左右両側面には上下多段に複数の横枠材１７が架設してある。この横枠材１７は前後両端部を添付図面の実施形態では左右両側に位置する各前後の支柱１５に固着してある。横枠材１７にはスライドレール１８が取付けてある。
【００２２】
スライドレール１８は図８に示すように固定レール１９とこの固定レール１９に対してベアリングを介して前後方向にスライド自在に取付けられた可動レール２０とで構成してある。固定レール１９は横枠材１７に固定してあり、固定レール１９に対して可動レール２０を引出した場合、可動レール２０が引き出し用開口部５から外方に飛び出すようになっており、可動レール２０を押し込むと引き出し用開口部５から突出しない位置まで引き込ませることができるようになっている。図８に示す実施形態では可動レール２０は第１、第２の可動レール２０ａ、２０ｂにより構成してあり、第１可動レール２０ａが固定レール１９に対してスライド自在となり、第２可動レール２０ｂが第１可動レール２０ａに対してスライド自在となっている。このスライドレール１８にはストッパが設けてあり、第１可動レール２０ａを固定レール１９から引き出した際に第１可動レール２０ａが固定レール１９から前方に抜けて外れないようになっており、また、第２可動レール２０ｂを第１可動レール２０ａから引き出した際に第２可動レール２０ｂが第１可動レール２０ａから前方に抜けて外れないようになっており、これにより可動レール２０を引き出し用開口部５から突出させた際に、一定以上飛び出さないようなっていて固定レール１９から外れないようになっている。
【００２３】
このようにして収納台車本体３の引出し用開口部５の両隣の二側面である左右両側面に上下多段に架設した複数の横枠材１７にそれぞれスライドレール１８を取付けてあり、更に、左右に対向するスライドレール１８の可動レール２０にリール収納棚４の両端部を固定してある。これにより収納台車本体３内の収納用空所２内に上下に多段に複数のリール収納棚４を配設してあり、このリール収納棚４は上記のように可動レール２０が固定レール１９に対してスライド自在であるのでリール収納棚４を手前に引き出すことで引き出し用開口部５から引き出すことができるようになっている。
【００２４】
リール収納棚４は中央部に上方に向けて支持棒６を突設してあり、この支持棒６に帯材７又は線材を巻装したリール８の中央孔９を着脱自在に嵌め込むことができるようになっており、支持棒６にリール８の中央孔９を嵌め込んでリール８をリール収納棚４に載置した状態で、リール８の外周端がリール収納棚４の外周端からはみ出さないようにリール収納棚４の大きさが設定してある。
【００２５】
ここで、リール８は平面視円形状をし、リール収納棚４は平面視正方形又は長方形をしているので、リール８の中央孔９をリール収納棚４の中央部に突設した支持棒６に嵌め込んだ場合、リール収納棚４の四隅付近はリール８が載置されない部分となるので、本実施形態においては、図４に示すように、リール収納棚４の引き出し用開口部５側（前端部）の一隅部又は両隅部付近の上記リール８が載置されない部分に操作用孔２１を設け、この操作用孔２１に指又は手を掛けてリール収納棚４の引き出し操作ができるようにしている。これによりリール８に触れることなく容易にリール収納棚４の引き出し操作ができるものである。また、リール収納棚４に操作用突部を突設して操作用突部を掴んで引き出し操作することも考えられるが、これだと、多段にリール収納棚４を引き出し自在に配置するに当たって、各段のリール収納棚４間におけるリール８を収納できる有効スペースが狭くなり、また、操作用突部がリール８の取り出し作業、嵌め込み作業等の邪魔になる可能性があるが、上記のように操作用孔２１の場合には、各段のリール収納棚４間におけるリール８を収納できる有効スペースが狭くならず、また、操作用突部がリール８の取り出し作業、嵌め込み作業等の邪魔にならないものである。
【００２６】
リール収納棚４の中央部に上方に向けて支持棒６を突設するに当たっては、支持棒６をリール収納棚４に固着してもよく、あるいは、支持棒６をリール収納棚４に対して着脱自在に取付けてもよい。支持棒６をリール収納棚４に対して着脱自在に取付けるには、例えば、支持棒６の下端部に雄ねじ部を設け、リール収納棚４の中央部に上方に開口する雌ねじ部を設け、雄ねじ部を雌ねじ部に螺合することで着脱自在とするが、必ずしもこれにのみ限定されず、他の手段により着脱自在としてもよいものである。
【００２７】
収納台車本体３の引出し用開口部５と対向する側面である背面には上枠材１６と底板又は底枠１４とのを縦枠材２２で連結してある。
【００２８】
底板又は底枠１４の下面部に設ける車輪１は空気タイヤを用いてあって空気圧で振動や衝撃を吸収するようにしてある。また、この車輪１の移動をロックするための車輪ロック機構（図示せず）が設けてある。
【００２９】
収納台車本体３の引き出し用開口部５の開口側縁部には先端部にロック用縦棒１０を取付けた横アーム１１がヒンジ１２により回動自在に枢支してある。横アーム１１がヒンジ１２に対して上下移動自在に取付けてあり、これによりロック用縦棒１０が収納台車本体３に対して上下移動自在となっている。なお、ロック用縦棒１０を横アーム１１に対して上下移動自在に取付けることでロック用縦棒１０が収納台車本体３に対して上下移動自在としてもよい。収納台車本体３の引き出し用開口部５の開口下端縁部にはロック用縦棒１０の下端部が抜き差し自在となった支持孔部１３を設けてある。そして、ロック用縦棒１０の下端部を支持孔部１３に差し込んだ状態でロック用縦棒１０が上下複数のリール収納棚４の各前端に近接対向するようになっており、これにより上下多段に配置した複数のリール収納棚４が引き出し用開口部５から前方に飛び出さないようにロックできるようになっている。一方、上記ロック状態で、ロック用縦棒１０を上方に移動してロック用縦棒１０の下端部を支持孔部１３から引き抜き、ヒンジ１２を中心に回動することでロック用縦棒１０がリール収納棚４を引き出し用開口部５から引き出す際に当たらない位置まで移動させることで、ロックを解除してロック用縦棒１０に邪魔されることなく、各段のリール収納棚４を引き出し用開口部５から前方に引き出すことができるようになっている。
【００３０】
上記ロック用縦棒１０は引き出し用開口部５の左右の開口側縁部のうち一方のみに設けてもよく、あるいは左右の開口側部のいずれにも設けてもよい。
【００３１】
収納台車本体３には帯電防止用シート２５が被せられる。帯電防止用シート２５は帯電防止用の可撓性の合成樹脂シートにより構成してあり、上面の帯電防止用シート２５の四辺から下方に前後左右の帯電防止用シート２５が垂設してあって全体が下方が開口した断面四角形をした袋状をしている。この断面四角形をした袋状の帯電防止用シート２５を収納台車本体３の上方から被せることで内部が収納用空所２となった収納台車本体３を覆っている。ここで、上面の帯電防止用シート２５の四辺から下方に垂下した前後左右の帯電防止用シート２５のうち、左右、後の帯電防止用シート２５を一体に連続しているが、前の帯電防止用シート２５（つまり引き出し用開口部５と対向する帯電防止用シート２５は隣接する左右側面の帯電防止用シート２５とは分離しており、したがって、前の帯電防止用シート２５は上にめくって引出し用開口部５を開放することができるようになっている。また、上記帯電防止用シート２５のうち少なくとも引き出し用開口部５と対向する帯電防止用シート２５を外部から収納用空所２内を透視できる透明又は半透明となっていて該帯電防止用シート２５を通して外部から収納用空所２内を視認できるようになっている。ここで、引き出し用開口部５と対向する帯電防止用シート２５以外の部分を覆う帯電防止用シート２５も透明又は半透明となっていて横枠材１７間や縦枠材２２間や縦枠材２２と支柱１５間の隙間を介して外部から収納用空所２内を視認できるようになっている。
【００３２】
上記のような構成のリール収納・搬送台車Ａは金属フープ材、合成樹脂テープ、金属線材、合成樹脂線材等の金属、合成樹脂製の帯材７又は線材を巻装したリール８を収納、搬送するために使用するものである。
【００３３】
例えば、リール８に巻装した金属フープ材を送り出し装置にセットし、この金属フープ材をプレス加工装置に連続して送り出しながら金属フープ材に連続してプレス加工を行い、この連続してプレス加工を行った金属フープ材をリール８に巻き取り、リール８に巻き取ったプレス加工後の金属フープ材を次工程のメッキ工程に搬送するに当たり、リール８に巻装したままの状態で次工程に搬送するのであるが、このような場合に、プレス加工後の金属フープ材である帯材７を巻装したリール８を本発明のリール収納・搬送台車Ａに収納して、次工程に送ったり、保管したりするのである。もちろん、リール８に巻装する帯材７としては他のものであってもよく、あるいは、帯材７ではなくリール８に線材を巻装したものであってもよい。
【００３４】
しかして、帯材７や線材を巻装したリール８を本発明のリール収納・搬送台車Ａに収納するに当たっては以下のようにして行うものである。まず、ロック用縦棒１０の下端部を支持孔部１３から引き抜いて、ヒンジ１２を中心に回動してロック用縦棒１０によるリール収納棚４のロックを解除した状態で、リール収納棚４を引き出し用開口部５から引き出し、長尺の帯材７又は線材を巻装したリール８の中央孔９をリール収納棚４に突設した支持棒６に嵌め込んだ状態でリール収納棚４に載置する。この場合、複数のリール８をそれぞれ順に一つの支持棒６に中央孔９を利用して嵌め込むことで、複数のリール８をリール収納棚４に複数重ねて載置してもよい。このようにしてリール８を中央孔９部分で支持棒６に嵌め込んで移動しないようにした状態で、リール収納棚４を押し込んで収納用空所２内に配置する。
【００３５】
上記のようにして次々と各段のリール収納棚４に長尺の帯材７又は線材を巻装したリール８を載置して収納し、収納が完了すると、ロック用縦棒１０を回動してロック用縦棒１０の下端部を支持孔部１３に差し込んでロック用縦棒１０が上下複数のリール収納棚４の各前端に近接対向させ、上下多段に配置した複数のリール収納棚４が引き出し用開口部５から前方に飛び出さないようにロックする。
【００３６】
このようにロックしてロック用縦棒１０が移動しないようにした状態でリール収納・搬送台車Ａを保管場所や次工程の場所所に搬送するものである。この場合、リール８に本来備わっている中央孔９を有効利用してリール８が移動しないように嵌め込み収納してあるので、リール８が搬送中にがたつかず、また、収納台車本体３、リール収納棚４によりリール８が保護されるのでリール８に巻装した帯材７又は線材の破損を防止できるものである。また、収納台本体３に車輪１を設けてあるので、車輪１を転動させて移動させることができて軽い力で容易に移動できるものである。
【００３７】
保管する場合にはリール収納・搬送台車Ａを保管棚としてそのままの状態で保管できるものである。一方、搬送先で収納・搬送台車Ａに収納したリール８を取り出すには、ロック用縦棒１０によるロックを解除し、リール収納棚４を引き出し用開口部５から引き出してリール収納棚４に載置しているリール８を取り出すものである。この場合、支持棒６をリール収納棚４から取り外すことができるようにしておくと、リール収納棚４にリール８を載置して収納するに当たり、支持棒６を取り外すことで、多段に積み重ねた複数のリール８を一度に取り外すことが可能となる。
【００３８】
このようにして取り外された帯材７や線材が巻装されたリール８は次工程の送り装置にセットされ（リール８のセットに当たっては従来と同様にリール８の中央孔９を送り装置の軸に嵌め込んでセットする）、リール８から次工程の加工ラインに帯材７が送り出されて、帯材に加工がなされる。
【００３９】
ところで、すでに述べたように、収納台車本体３には帯電防止用シート２５を被せることで、収納台車本体３に収納した帯材７や線材が巻装されたリール８に埃などが付着しないように保護できると共に、帯電が防止されて、よりいっそう埃の付着防止効果があり、クリーンルーム等であっても問題なく使用できるものである。
【００４０】
また、このように、帯電防止用シート２５で覆っても透明又は半透明で外部から内部が視認できるようになっているので帯電防止用シート２５で覆ったまま収納用空所２内におけるリール８の収納状態を容易に確認できるものである。
【００４１】
一方、帯電防止用シート２５で覆った状態のままリール収納棚４へのリール８の収納作業、取り出し作業を行う場合ば、引出し用開口部５に対向する部分の帯電防止用シート２５を上にめくった状態でリール収納棚４を引き出して行うものである。
【００４２】
【発明の効果】
上記のように本発明の請求項１記載の発明にあっては、下面に車輪を有し且つ内部が収納用空所となった収納台車本体内に上下多段に複数のリール収納棚を配設すると共に収納台車本体の一側面を引き出し用開口部としてリール収納棚を引き出し用開口部から引き出し自在に構成し、各リール収納棚の上面からそれぞれ上方に向けて支持棒を突設し、長尺の帯材又は線材を巻装したリールの中央孔を支持棒に抜き差し自在に嵌め込んだ状態でリールをリール収納棚に載置してあるので、リール収納棚を引き出し用開口部から引き出して長尺の帯材又は線材を巻装したリールの中央孔をリール収納棚に突設した支持棒に嵌め込んだ状態でリール収納棚を収納用空所内に押し込んで収納し、これにより収納台車本体の収納用空所内に上下多段に配置したリール収納棚にリールを簡単に収納することができるものであり、収納作業が終わると搬送車輪を利用してそのまま搬送することができて、作業が容易に行えるものであり、このようにして簡単な収納作業が終わるとそのまま車輪を利用して上下多段のリール収納棚にリールを収納した状態で保管場所や次工程の場所に容易に搬送することができて、収納、搬送の一連の作業が容易に行えるものであり、しかも、保管、搬送中に収納台車本体内部に配置したリール収納棚に突設した支持棒にリールの中央孔を嵌め込むので、リールに本来備わっている中央孔を有効利用してリールが移動しないように収納でき、また、収納台車本体、リール収納棚によりリールを保護できてリールに巻装した帯材又は線材が破損しないようにでき、また、倉庫等に保管する際には収納台車本体がそのままリールを収納するための多段の保管棚となり、更に、リールを収納して搬送に使用する時は繰り返し何度でも使用できるので、従来のようにダンボール箱に収納して搬送し搬送後はダンボール箱をごみとして処分するものに比べて、資源保護及び環境面で優れている。
【００４３】
また、請求項２記載の発明にあっては、上記請求項１記載の発明の効果に加えて、収納台車本体を帯電防止用シートで覆うと共に引き出し用開口部を覆う帯電防止用シートを開閉自在とし、少なくとも上記引き出し用開口部を覆う帯電防止用シートを外部から収納用空所内を透視できる透明又は半透明とするので、帯電防止効果があり、また、少なくとも引き出し用開口部を覆う帯電防止用シートを透明又は半透明としてこの帯電防止用シートを介して外部から内部を透視できて、収納用空所内におけるリールの収納状態を容易に確認でき、リール収納棚から目的とするリールを簡単に間違いなく取り出すことができるものである。
【００４４】
また、請求項３記載の発明にあっては、上記請求項１又は請求項２記載の発明の効果に加えて、支持棒がリール収納棚に対して着脱自在であるので、リール収納棚にリールを載置して収納している状態でリールを取り出す際、リール収納棚を引き出し用開口部から引き出し、支持棒を取り外すことでリールを容易にリール収納棚から取り外すことができるものであり、特に、リール収納棚にリールを載置して収納するに当たり、支持棒に複数のリールをその中央孔を嵌め込んで多段に積み重ねた場合においては、支持棒を取り外すことで、多段に積み重ねた複数のリールを一度に取り外すことも可能となって、いっそう取り出しが容易に行えるものである。
【００４５】
また、請求項４記載の発明にあっては、上記請求項１乃至請求項３のいずれかの記載の効果に加えて、収納台車本体の引き出し用開口部の開口側縁部に先端部にロック用縦棒を取付けた横アームをヒンジにより回動自在に枢支し、ロック用縦棒を横アームに対して上下移動自在とするか又は横アームをヒンジに対して上下移動自在とし、収納台車本体の引き出し用開口部の開口下端縁部にロック用縦棒の下端部が抜き差し自在となった支持孔部を設け、ロック用縦棒の下端部を支持孔部に差し込んだ状態でロック用縦棒を上下複数のリール収納棚の各前端に近接対向させ、ロック用縦棒の下端部を支持孔部から抜き取ってヒンジを中心に回動することでロック用縦棒がリール収納棚を引き出し用開口部から引き出す際に当たらない位置まで移動できるように設定してあるので、共通のロック用縦棒により複数段のリール収納棚が引き出し用開口部から飛び出さないように収納状態をロックできて、ロック構造が簡略化し、また、複数段のリール収納棚の収納状態のロック操作が一操作で同時に簡単に行えると共に複数段のリール収納棚のロック解除が一操作で同時に簡単に行えるものである。
【図面の簡単な説明】
【図１】本発明のリール収納・搬送台車のロック解除状態の正面図である。
【図２】同上の側面図である。
【図３】同上の背面図である。
【図４】同上の平面図である。
【図５】同上のリールを収納してロック用縦棒でロックした状態の正面図である。
【図６】同上の帯電防止シートを被せる状態を示す説明するための斜視図である。
【図７】同上のリール収納棚を引き出してリールの出し入れを行っている状態の側面図である。
【図８】同上のスライドレールを介してリール収納棚を横架材に取付けている部分の断面図である。
【図９】同上のリールに帯材を巻装した例の斜視図である。
【符号の説明】
１  車輪
２  収納用空所
３  収納台車本体
４  リール収納棚
５  引き出し用開口部
６  支持棒
７  帯材
８  リール
９  帯電防止用シート
１０  ロック用縦棒
１１  横アーム
１２  ヒンジ
１３  支持孔部
【図１】
2004217094.tif 000003
【図２】
2004217094.tif 000004
【図３】
2004217094.tif 000005
【図４】
2004217094.tif 000006
【図５】
2004217094.tif 000007
【図６】
2004217094.tif 000008
【図７】
2004217094.tif 000009
【図８】
2004217094.tif 000010
【図９】
2004217094.tif 000011